(57)【特許請求の範囲】
【請求項１】
ＣＤ（コンパクトディスク）、およびＤＶＤ（ディジタルビデオディスク）に共通して使用可能であり、メインスポットおよび２つのサブスポットを検出する光検出器の分割構造であって、
４分割され、前記メインスポットを検出する第１の受光面と、
前記第１の受光面の両側に配置され、それぞれ第１の分割面、第２の分割面および第３の分割面に３分割された第２の受光面、および第３の受光面と、
を具備し、
前記第２の受光面および第３の受光面の、第１の分割面は、第２の分割面よりも前記第１の受光面から遠い側に位置し、かつ、第２の分割面は、第３の分割面よりも前記第１の受光面から遠い側に位置しており、
前記第２の受光面、および第３の受光面はそれぞれ、前記ＣＤ駆動時は、前記第１の分割面と第２の分割面の中央部でサブスポットを受光して検出し、前記ＤＶＤ駆動時は、前記第２の分割面と第３の分割面の中央部でサブスポットを受光して検出することを特徴とする光検出器の分割構造。
【請求項２】
請求項１に記載の光検出器を搭載したことを特徴とする光ピックアップ。
【請求項３】
ディスク面に３つのビームを照射した際に得られるメインスポットと２つのサブスポットとの距離が異なる複数種の光ディスクを駆動可能な光ディスク駆動装置に用いられる光ピックアップであって、
それぞれ波長の異なるレーザ光を出力する複数個の発光部と、
前記各発光部より出力されたレーザ光を、前記光ディスクに照射すると共に、該光ディスクで反射した各レーザ光を所定の位置へ導く光学系と、
前記光学系により導かれたレーザ光を検出する請求項１に記載の光検出器と、
を具備したことを特徴とする光ピックアップ。
【請求項４】
前記光学系の一部は、各光ディスク駆動時において兼用される請求項３に記載の光ピックアップ。
【発明の詳細な説明】
【０００１】
【発明の属する技術分野】
本発明は、ＣＤ（コンパクトディスク）やＤＶＤ（ディジタルビデオディスク）等、複数種の光ディスクを駆動させる際に得られる光信号を検出可能な光検出器の分割構造およびこの光検出器を用いた光ピックアップに関する。
【０００２】
【従来の技術】
一般に、ＣＤ（ＣＤ−ＤＡ、ＣＤ−Ｒ、ＣＤ−ＲＷ、ＣＤ−ＲＯＭを含む）では、光学系から照射されるレーザ光を対物レンズを介してＣＤ表面のデータ記録面に照射し、該データ記録面で反射したレーザ光を光検出器で検出して電気信号に変換し、後段のデータ処理装置側へと出力している。
【０００３】
また、ＤＶＤ（ＤＶＤ−Ｒ、ＤＶＤ−ＲＷ、ＤＶＤ−ＲＯＭ、ＤＶＤ−ＲＡＭを含む）についても同様に、光学系から照射されるレーザ光を対物レンズを介してＤＶＤのデータ記録面に照射し、該データ記録面で反射したレーザ光を光検出器で検出している。
【０００４】
また、他方において、ＣＤとＤＶＤとを兼用した再生装置、或いは記録・再生装置（以下、これらを総称して駆動装置という）が考案されており、１台の駆動装置で、ＣＤを駆動させて音楽を聴いたり、ＤＶＤを駆動させて映像を見ることが行われている。
【０００５】
ＣＤの駆動装置、あるいはＤＶＤの駆動装置では、ディスク面（ＣＤ、ＤＶＤ）に３つのビームを照射して得られるメインスポットおよび２つのサブスポットを使用してトラッキングサーボ、およびフォーカスサーボをかけるために、レーザ光を受光するための光検出器を分割構造としている。図８は、このような光検出器１０１の分割構造を示す模式図である。同図に示すディスクの半径方向に対応する光検出器１０１上での方向を左右方向（横方向）とする。
【０００６】
図８に示すように、この光検出器１０１は、３つのビームを照射して得られる３つのスポットのうちの中央のスポット（メインスポット）１０２を検出するための第１の受光面１０４と、該第１の受光面１０４の左側、および右側に配置され、３つのスポットのうちの左右のスポット（サブスポット）１０３ａ，１０３ｂを検出するための第２の受光面１０５ａ、第３の受光面１０５ｂとから構成されている。さらに、第１の受光面１０４は、４つに等分割されている。
【０００７】
そして、４分割された第１の受光面１０４の各分割面で検出される電流値（電圧値）を図８に示すようにＡ，Ｂ，Ｃ，Ｄとし、さらに、第２の受光面１０５ａで検出される電流値をＦ、第３の受光面１０５ｂで検出される電流値をＥとすると、これらの各電流値に基づいて、フォーカスエラー信号、およびトラッキングエラー信号を求めることができる。
【０００８】
すなわち、（Ａ＋Ｃ）−（Ｂ＋Ｄ）を演算すればフォーカスエラー信号を求めることができ、（Ｅ−Ｆ）を演算すればトラッキングエラー信号を求めることができ、さらに、（Ａ＋Ｂ＋Ｃ＋Ｄ）を演算すれば、必要とするＲＦ信号を得ることができる。
【０００９】
ところが、ＣＤの駆動装置と、ＤＶＤの駆動装置とでは３つのスポットの照射位置、すなわち、図８に示すメインスポット１０２とサブスポット１０３ａ，１０３ｂとの距離（図中、上下方向の距離）Ｌ１０が相違するので、１つの光検出器１０１で、ＣＤとＤＶＤとを兼用することができない。したがって、従来のＣＤおよびＤＶＤを兼用する駆動装置では、それぞれ別個に光検出器を搭載していた。
【００１０】
【発明が解決しようとする課題】
上記したように、従来におけるＣＤ、ＤＶＤを兼用した駆動装置では、メインビームとサブビームとの間隔が異なるため、光検出器をＣＤとＤＶＤとで兼用して使用することができず、何とか兼用して使用したいという要望が高まっていた。
【００１１】
この発明はこのような従来の課題を解決するためになされたものであり、その目的とするところは、複数の光ディスク駆動時に兼用して使用することのできる光検出器の分割構造およびこの光検出器を用いた光ピックアップを提供することにある。
【００１２】
【課題を解決するための手段】
このような目的は、下記（１）〜（４）の本発明により達成される。
【００１３】
（１）  ＣＤ（コンパクトディスク）、およびＤＶＤ（ディジタルビデオディスク）に共通して使用可能であり、メインスポットおよび２つのサブスポットを検出する光検出器の分割構造であって、
４分割され、前記メインスポットを検出する第１の受光面と、
前記第１の受光面の両側に配置され、それぞれ第１の分割面、第２の分割面および第３の分割面に３分割された第２の受光面、および第３の受光面と、
を具備し、
前記第２の受光面および第３の受光面の、第１の分割面は、第２の分割面よりも前記第１の受光面から遠い側に位置し、かつ、第２の分割面は、第３の分割面よりも前記第１の受光面から遠い側に位置しており、
前記第２の受光面、および第３の受光面はそれぞれ、前記ＣＤ駆動時は、前記第１の分割面と第２の分割面の中央部でサブスポットを受光して検出し、前記ＤＶＤ駆動時は、前記第２の分割面と第３の分割面の中央部でサブスポットを受光して検出することを特徴とする光検出器の分割構造。
【００１４】
（２）  上記（１）に記載の光検出器を搭載したことを特徴とする光ピックアップ。
【００１５】
（３）  ディスク面に３つのビームを照射した際に得られるメインスポットと２つのサブスポットとの距離が異なる複数種の光ディスクを駆動可能な光ディスク駆動装置に用いられる光ピックアップであって、
それぞれ波長の異なるレーザ光を出力する複数個の発光部と、
前記各発光部より出力されたレーザ光を、前記光ディスクに照射すると共に、該光ディスクで反射した各レーザ光を所定の位置へ導く光学系と、
前記光学系により導かれたレーザ光を検出する上記（１）に記載の光検出器と、
を具備したことを特徴とする光ピックアップ。
【００１６】
（４）  前記光学系の一部は、各光ディスク駆動時において兼用される上記（３）に記載の光ピックアップ。
【００２３】
【発明の実施の形態】
以下、本発明の実施形態を図面に基づいて説明する。図１は、本発明にかかる光検出器が適用されたＣＤ、ＤＶＤ兼用の再生装置或いは再生・記録装置（以下、これらを総称して駆動装置という）の、光ピックアップ１の構成を示す模式図である。なお、本発明においてＣＤ（コンパクトディスク）とは、ＣＤ−ＤＡ（オーディオＣＤ）、ＣＤ−ＲＯＭ、ＣＤ−ＲＡＭ、ＣＤ−Ｒ、ＣＤ−ＲＷ等を含むものであり、ＤＶＤ（ディジタルビデオディスク）とはＤＶＤ−ＲＯＭ、ＤＶＤ−Ｒ、ＤＶＤ−ＲＡＭ、ＤＶＤ−ＲＷ等を含むものである。
【００２４】
図１に示すように、この光ピックアップ１は、ＣＤ駆動用のレーザ光（波長７８０ｎｍ）を照射するためのＣＤ用レーザダイオード（発光部）２、およびＤＶＤ駆動用のレーザ光（波長６５０ｎｍ）を照射するためのＤＶＤ用レーザダイオード（発光部）３とを具備しており、ＣＤ用レーザダイオード２より照射されたレーザ光は、ＣＤ用グレーティング（回折格子）４を介して第１のビームスプリッタ５に導入されるようになっている。
【００２５】
前記レーザ光は、ＣＤ用グレーティング４によりメインビームと２つのサブビームとに分割される。
【００２６】
また、ＤＶＤ用レーザダイオード３より照射されたレーザ光は、ＤＶＤ用グレーティング（回折格子）６を介して第２のビームスプリッタ７に導入される。そして、このレーザ光は、ＤＶＤ用グレーティング６によりメインビームと２つのサブビームとに分割される。
【００２７】
第１のビームスプリッタ５および第２のビームスプリッタ７で反射されるそれぞれのレーザ光（ＣＤ用のレーザ光およびＤＶＤ用のレーザ光）は、同一の光路を通過するようになっており、この光路上には、ミラー８、コリメータレンズ９、および対物レンズ１０が配設されている。
【００２８】
したがって、ＣＤ用レーザダイオード２、またはＤＶＤ用レーザダイオード３より照射されたレーザ光は、各ビームスプリッタ５、７で反射された後、同一の光路を通り、ミラー８、コリメータレンズ９、および対物レンズ１０を介してディスク１１（ＣＤまたはＤＶＤ）のデータ記録面に照射される。
【００２９】
ここで、ディスク１１（ＣＤまたはＤＶＤ）上での、メインスポットとサブスポットとの間の半径方向の距離は、トラックのピッチに対応している。すなわち、ＣＤ用レーザダイオード２より照射されたレーザ光の、メインスポットとサブスポットとの間の距離は、ＤＶＤ用レーザダイオード３より照射されたレーザ光の、メインスポットとサブスポットとの間の距離よりも長い。
【００３０】
一方、ディスク１１のデータ記録面で反射されたレーザ光は、対物レンズ１０、コリメータレンズ９、ミラー８、第１のビームスプリッタ５、および第２のビームスプリッタ７を経由し、この光路上の第２のビームスプリッタ７の後段側には、ＣＤ、ＤＶＤ兼用の光検出器１２が設置されている。
【００３１】
なお、ＣＤ用グレーティング４、第１のビームスプリッタ５、ＤＶＤ用グレーティング６、第２のビームスプリッタ７、ミラー８、コリメータレンズ９、および対物レンズ１０で構成される光学系のうち、ミラー８、コリメータレンズ９及び対物レンズ１０は、ＣＤ駆動時およびＤＶＤ駆動時に兼用される。
【００３２】
図２は、光検出器１２の構成を模式的に示す説明図、図３は、ＣＤ駆動時のメインスポット２４および２つのサブスポット２５ａ，２５ｂが光検出器１２に照射される様子を示す説明図、図４は、ＤＶＤ駆動時のメインスポット２６および２つのサブスポット２７ａ，２７ｂが光検出器１２に照射される様子を示す説明図である。
【００３３】
図２に示すように、光検出器１２は、第１の受光面２１と、該第１の受光面２１の左側、および右側に配置される第２の受光面２２、第３の受光面２３から構成されている。
【００３４】
第１の受光面２１は、４つの分割面２１ａ〜２１ｄに等分割され、第２の受光面２２は２つの分割面２２ａ，２２ｂに分割され、さらに、第３の受光面２３は２つの分割面２３ａ，２３ｂに分割されている。
【００３５】
分割面２２ａ（第１の分割面）は分割面２２ｂ（第２の分割面）よりも、第１の受光面２１から遠い側に位置するように配置され、分割面２３ａ（第１の分割面）は分割面２３ｂ（第２の分割面）よりも、第１の受光面２１から遠い側に位置するように配置されている。さらに、分割面２２ａは分割面２２ｂよりも広い面積を有し、同様に、分割面２３ａは分割面２３ｂよりも広い面積を有している。
【００３６】
そして、図３に示すように、３つのビームを照射してＣＤを駆動させたときの、メインスポット２４とサブスポット２５ａとの間の、図３中上下方向の距離Ｌ１が、分割面２２ａの中心部と第１の受光面２１の中心部（分割面２１ａ〜２１ｄの境界部）との図３中上下方向の間隔と略等しくなるように設定されている。同様に、３つのビームを照射してＣＤを駆動させたときの、メインスポット２４とサブスポット２５ｂとの間の図３中上下方向の距離Ｌ１が、分割面２３ａの中心部と第１の受光面２１の中心部との、図３中上下方向の間隔と略等しくなるように設定されている。
【００３７】
さらに、図４に示すように、３つのビームを照射してＤＶＤを駆動させたときの、メインスポット２６とサブスポット２７ａとの間の図４中上下方向の距離Ｌ２が、第２の受光面２２の分割位置（分割面２２ａと２２ｂとの境界位置）と第１の受光面２１の中心部との図４中上下方向の間隔と略等しくなるように設定されており、同様に、第３の受光面２３の分割位置（分割面２３ａと２３ｂとの境界位置）と第１の受光面２１の中心部との図４中上下方向の間隔と、前記距離Ｌ２とが略等しくなるように設定されている。
【００３８】
なお、光検出器１２の受光素子としては、例えば、フォトダイオード等を用いることができる。
【００３９】
次に、上記のように構成された本実施形態の作用について説明する。図１に示したＣＤ用レーザダイオード２を駆動して３つのビームからなるレーザ光をディスク１１へ照射すると、ディスク１１で反射されたレーザ光は、光検出器１２へと導入される。そして、図３に示すように、光検出器１２に導入されるレーザ光のうち、メインスポット２４は、第１の受光面２１の略中央部に照射され、２つのサブスポット２５ａ，２５ｂはそれぞれ、第２の受光面２２の分割面２２ａの略中央部、および第３の受光面の分割面２３ａの略中央部にそれぞれ照射される。
【００４０】
したがって、図２に示すように、第１の受光面２１の各分割面２１ａ〜２１ｄで検出される電流値（電圧値）をそれぞれＡ〜Ｄとし、分割面２２ａで検出される電流値をＦ２とし、さらに、分割面２３ａで検出される電流値をＥ１とすると、フォーカスエラー信号は、（Ａ＋Ｃ）−（Ｂ＋Ｄ）で求めることができ、３ビームトラッキング法（３ビーム法）によるトラッキングエラー信号は、（Ｅ１−Ｆ２）で求めることができ、さらに、必要とするＲＦ信号は、（Ａ＋Ｂ＋Ｃ＋Ｄ）で求めることができる。
【００４１】
他方、図１に示したＤＶＤ用レーザダイオード３を駆動して３つのビームからなるレーザ光をディスク１１へ照射すると、ディスク１１で反射されたレーザ光は、光検出器１２へと導入される。そして、図４に示すように、光検出器１２に導入されるレーザ光のうち、メインスポット２６は、第１の受光面２１の略中央部に照射され、２つのサブスポット２７ａ，２７ｂはそれぞれ、第２の受光面２２の分割面２２ａ，２２ｂの中間部、および第３の受光面の分割面２３ａ，２３ｂの中間部にそれぞれ照射される。
【００４２】
したがって、図２に示すように、分割面２２ｂで検出される電流値をＦ１とし、分割面２３ｂで検出される電流値をＥ２とすると、フォーカスエラー信号は、（Ａ＋Ｃ）−（Ｂ＋Ｄ）で求めることができ、３ビームトラッキング法によるトラッキングエラー信号は、（Ｅ１＋Ｅ２）−（Ｆ１＋Ｆ２）で求めることができ、さらに、ＲＦ信号は、（Ａ＋Ｂ＋Ｃ＋Ｄ）で求めることができる。
【００４３】
こうして、１つの光検出器１２で、ＣＤ駆動時、およびＤＶＤ駆動時の双方において、フォーカスエラー信号、３ビームトラッキング法によるトラッキングエラー信号、およびＲＦ信号を検出することができる。
【００４４】
また、トラキングエラー信号を検出する手法として３つのスポットを利用した、差動プッシュプル法を適用することも可能である。すなわち、差動プッシュプル法では、トラッキングエラー信号は、｛（Ａ＋Ｂ）−（Ｄ＋Ｃ）｝−Ｋ｛（Ｆ２＋Ｅ２）−（Ｆ１＋Ｅ１）｝（Ｋは係数）で求めることができるので、各分割面で検出された電流値Ａ〜Ｄ、Ｅ１、Ｅ２、Ｆ１、Ｆ２を利用してトラッキングエラー信号を求めることができる。
【００４５】
また、トラッキングエラー信号を検出する手法として、位相差法等の他の方法を用いても良い。
【００４６】
このようにして、本実施形態に係る光検出器１２では、第２の受光面２２および第３の受光面２３をそれぞれ２分割とし、これらの各分割面２２ａ，２２ｂ、２３ａ，２３ｂで検出される電流値を利用して、フォーカスエラー信号、トラッキングエラー信号、およびＲＦ信号を検出しているので、ＣＤ駆動時、およびＤＶＤ駆動時の双方において、兼用して使用することができる。
【００４７】
したがって、従来のように、ＣＤ駆動用、およびＤＶＤ駆動用の双方にそれぞれ別個に光検出器を搭載する必要がなく、部品点数の削減、装置の小型化、およびコストダウンを図ることができる。
【００４８】
また、光学系のうちの一部（ミラー８、コリメータレンズ９、対物レンズ１０）が、ＣＤ駆動時とＤＶＤ駆動時とで兼用であるので、ＣＤ駆動用の光ピックアップおよびＤＶＤ駆動用の光ピックアップを別個に設ける場合に比べ、部品点数を減少させることができ、これにより、構成の簡素化および装置の小型化を図ることができる。
【００４９】
また、ＤＶＤ駆動時のサブスポット２７ａ，２７ｂは、それぞれ２つの分割面２２ａ，２２ｂ、２３ａ，２３ｂを使用して検出する構成としているので、差動プッシュプル法等の各種のトラッキングエラーを検出する手法に適用することができる。
【００５０】
また、ＤＶＤ駆動時における、サブスポット２７ａ，２７ｂを、それぞれ２つの分割面２２ａ，２２ｂ、および２３ａ，２３ｂで検出しているので、ＤＶＤの任意のトラックから記録を開始する場合でも、確実かつ迅速に光ピックアップ１（対物レンズ１０）を所望のトラックへ移動させることができ、動作の信頼性を向上させることができる。
【００５１】
図５は、本発明の第２の実施形態にかかる光検出器３０の構成を模式的に示す説明図、図６は、ＣＤ駆動時のメインスポット２４および２つのサブスポット２５ａ，２５ｂが光検出器３０に照射される様子を示す説明図、図７は、ＤＶＤ駆動時のメインスポット２６および２つのサブスポット２７ａ，２７ｂが光検出器３０に照射される様子を示す説明図である。
【００５２】
図５に示すように、光検出器３０は、メインスポットを検出するための第１の受光面３１と、２つのサブスポットを検出するための第２の受光面３２、第３の受光面３３から構成されており、第１の受光面３１は、図２に示した実施形態と同様に、４つの分割面３１ａ〜３１ｄに等分割されている。また、第２の受光面３２および第３の受光面３３は、それぞれ３つの分割面３２ａ〜３２ｃ、および３３ａ〜３３ｃに等分割されている。
【００５３】
分割面３２ａ（第１の分割面）は、分割面３２ｂ（第２の分割面）よりも、第１の受光面３１から遠い側に位置するように配置され、分割面３２ｂは、分割面３２ｃ（第３の分割面）よりも、第１の受光面３１から遠い側に位置するように配置されている。
【００５４】
同様に、分割面３３ａ（第１の分割面）は、分割面３３ｂ（第２の分割面）よりも、第１の受光面３１から遠い側に位置するように配置され、分割面３３ｂは、分割面３３ｃ（第３の分割面）よりも、第１の受光面３１から遠い側に位置するように配置されている。
【００５５】
そして、図６に示すように、分割面３２ａと分割面３２ｂとの境界位置と第１の受光面３１の中心部との図６中上下方向の間隔、および、分割面３３ａと分割面３３ｂとの境界位置と第１の受光面３１の中心部との図６中上下方向の間隔が、それぞれＣＤ駆動時のメインスポット２４とサブスポット２５ａ，２５ｂとの図６中上下方向の距離Ｌ１と略等しくなるように設定されている。
【００５６】
また、図７に示すように、分割面３２ｂと分割面３２ｃとの境界位置と第１の受光面３１の中心部との図７中上下方向の間隔、および、分割面３３ｂと分割面３３ｃとの境界位置と第１の受光面３１の中心部との図７中上下方向の間隔が、それぞれＤＶＤ駆動時のメインスポット２６とサブスポット２７ａ，２７ｂとの図７中上下方向の距離Ｌ２と略等しくなるように設定されている。
【００５７】
次に、第２の実施形態の作用について説明する。図６に示すように、ＣＤ駆動時には、第１の実施形態と同様の手順で、メインスポット２４は第１の受光面３１の略中央部に照射され、２つのサブスポット２５ａ，２５ｂは第２の受光面３２の分割面３２ａと分割面３２ｂの中央部、および第３の受光面３３の分割面３３ａと分割面３３ｂの中央部にそれぞれ照射される。
【００５８】
したがって、図５に示すように、第１の受光面３１の各分割面３１ａ〜３１ｄで検出される電流値をそれぞれＡ〜Ｄ、第２の受光面３２の各分割面３２ａ，３２ｂ，３２ｃで検出される各電流値をそれぞれＦ３，Ｆ２，Ｆ１、第３の受光面３３の各分割面３３ａ，３３ｂ，３３ｃで検出される各電流値をそれぞれＥ１，Ｅ２，Ｅ３とすると、フォーカスエラー信号は、（Ａ＋Ｃ）−（Ｂ＋Ｄ）で求めることができる。また、３ビームトラッキング法を採用した場合のトラッキングエラー信号は、（Ｅ１＋Ｅ２）−（Ｆ３＋Ｆ２）で求めることができ、さらに、ＲＦ信号は（Ａ＋Ｂ＋Ｃ＋Ｄ）で求めることができる。
【００５９】
また、差動プッシュプル法を適用する場合には、トラッキングエラー信号は、｛（Ａ＋Ｂ）−（Ｄ＋Ｃ）｝−Ｋ｛（Ｆ３＋Ｅ２）−（Ｆ２＋Ｅ１）｝（Ｋは係数）で求めることができる。
【００６０】
一方、ＤＶＤ駆動時には、図７に示すように、メインスポット２６は第１の受光面３１の略中央部に照射され、２つのサブスポット２７ａ，２７ｂは第２の受光面３２の分割面３２ｂと分割面３２ｃの中央部、および第３の受光面３３の分割面３３ｂと分割面３３ｃの中央部に照射される。
【００６１】
したがって、フォーカスエラー信号は、（Ａ＋Ｃ）−（Ｂ＋Ｄ）で求めることができ、３ビームトラッキング法によるトラッキングエラー信号は、（Ｅ２＋Ｅ３）−（Ｆ２＋Ｆ１）で求めることができ、さらに、必要とするＲＦ信号は（Ａ＋Ｂ＋Ｃ＋Ｄ）で求めることができる。
【００６２】
また、差動プッシュプル法を適用する場合には、トラッキングエラー信号は、｛（Ａ＋Ｂ）−（Ｄ＋Ｃ）｝−Ｋ｛（Ｆ２＋Ｅ３）−（Ｆ１＋Ｅ２）｝（Ｋは係数）で求めることができる。
【００６３】
このようにして、第２の実施形態に係る光検出器３０では、第２の受光面３２および第３の受光面３３をそれぞれ３分割とし、これらの各分割面３２ａ，３２ｂ，３２ｃ、３３ａ，３３ｂ，３３ｃで検出される電流値（電圧値）を利用して、フォーカスエラー信号、トラッキングエラー信号、およびＲＦ信号を検出しているので、ＣＤ駆動時、およびＤＶＤ駆動時の双方において、兼用して使用することができる。
【００６４】
また、ＣＤ駆動時におけるサブスポット２５ａ，２５ｂ、およびＤＶＤ駆動時におけるサブスポット２７ａ，２７ｂをそれぞれ２個の分割面を使用して検出する構成としているので、差動プッシュプル法等の、各種のトラッキングエラーを検出する手法に適用することができる。
【００６５】
また、サブスポット２５ａ，２５ｂ、２７ａ，２７ｂを２個の分割面を使用して検出しているので、ディスク（ＣＤまたはＤＶＤ）の任意のトラックから記録を開始させる場合に、確実かつ迅速に所望のトラックに光ピックアップ１（対物レンズ１０）を移動させることができる。
【００６６】
以上、本発明の光検出器の分割構造およびこの光検出器を用いた光ピックアップを図示の実施形態に基づいて説明したが、本発明はこれに限定されるものではなく、各部の構成は、同様の機能を有する任意の構成のものに置換することができる。
【００６７】
【発明の効果】
以上説明したように、本発明の光検出器の分割構造およびこの光検出器を用いた光ピックアップによれば、１つの光検出器でメインスポットと２つのサブスポットとの距離が異なる複数種の光ディスク、例えば、ＣＤおよびＤＶＤの双方において、それぞれ、メインスポットと２つのサブスポットとを検出することができるので、ＣＤ、ＤＶＤ兼用の駆動装置に搭載すれば、ＣＤ用およびＤＶＤ用にそれぞれ別個に光検出器を設ける必要がなく、装置の構成を簡素化することができ、小型化、低コスト化を図ることができる。
【００６８】
また、第２の受光面および第３の受光面をそれぞれ２分割とすれば、ＤＶＤ駆動時のサブスポットを２つの分割面で検出することができるので、ＤＶＤ駆動時において、差動プッシュプル等の各種のトラッキングエラー検出方式に対応させることができる。また、ＤＶＤの任意のトラックから記録を開始する際には、確実かつ迅速に光学系を所望のトラックへ移動させることができる。
【００６９】
さらに、第２の受光面および第３の受光面をそれぞれ３分割とすれば、ＣＤ駆動時のサブスポットおよびＤＶＤ駆動時のサブスポットを２つの分割面で検出することができるので、ＣＤ駆動時およびＤＶＤ駆動時の双方において、差動プッシュプル法等の、各種のトラッキングエラー検出方式に対応させることができる。また、ＣＤおよびＤＶＤを任意のトラックから記録を開始する際に、確実かつ迅速に光学系を所望のトラックへ移動させることができる。これにより、動作の信頼性を向上させることができる。
【図面の簡単な説明】
【図１】光検出器を兼用したＣＤ、ＤＶＤ兼用の駆動装置に用いられる光ピックアップの構成を示す模式図である。
【図２】本発明の第１の実施形態にかかる光検出器の分割構造を示す説明図である。
【図３】図２に示す光検出器に、ＣＤ駆動時のメインスポットおよびサブスポットが照射される様子を示す説明図である。
【図４】図２に示す光検出器に、ＤＶＤ駆動時のメインスポットおよびサブスポットが照射される様子を示す説明図である。
【図５】本発明の第２の実施形態にかかる光検出器の分割構造を示す説明図である。
【図６】図５に示す光検出器に、ＣＤ駆動時のメインスポットおよびサブスポットが照射される様子を示す説明図である。
【図７】図５に示す光検出器に、ＤＶＤ駆動時のメインスポットおよびサブスポットが照射される様子を示す説明図である。
【図８】従来におけるＣＤ駆動装置、またはＤＶＤ駆動装置に使用される光検出器の構成を示す説明図である。
【符号の説明】
１                光ピックアップ
２                ＣＤ用レーザダイオード
３                ＤＶＤ用レーザダイオード
４                ＣＤ用グレーティング
５                第１のビームスプリッタ
６                ＤＶＤ用グレーティング
７                第２のビームスプリッタ
８                ミラー
９                コリメータレンズ
１０              対物レンズ
１１              ディスク
１２，３０        光検出器
２１，３１        第１の受光面
２２，３２        第２の受光面
２３，３３        第３の受光面
２４，２６        メインスポット
２５ａ，２５ｂ    サブスポット
２７ａ，２７ｂ    サブスポット
２１ａ〜２１ｄ、３１ａ〜３１ｄ    分割面
２２ａ，２３ａ，３２ａ，３３ａ    分割面（第１の分割面）
２２ｂ，２３ｂ，３２ｂ，３３ｂ    分割面（第２の分割面）
３２ｃ，３３ｃ    分割面（第３の分割面）
１０１            光検出器
１０２            メインスポット
１０３ａ，１０３ｂ      サブスポット
１０４            第１の受光面
１０５ａ          第２の受光面
１０５ｂ          第３の受光面
【図１】
0003931493.tif 000002
【図２】
0003931493.tif 000003
【図３】
0003931493.tif 000004
【図４】
0003931493.tif 000005
【図５】
0003931493.tif 000006
【図６】
0003931493.tif 000007
【図７】
0003931493.tif 000008
【図８】
0003931493.tif 000009